(57)【要約】【課題】書類を簡単にファイルに保持させること。【解決手段】本発明の留め具１は、片端部に再貼着再剥離可能な粘着部１２が設けられ、この粘着部１２から横方向に離間して縦方向に沿って切込み１３が形成された第１のテープ部材１０と、片端部に再貼着再剥離可能な粘着部２２が設けられ、この粘着部２２から横方向に離間して、切込み１３に挿入係合し、横方向内方に凸の舌片状の挿入片２３が切り込んで形成されている第２のテープ部材２０とを備える。【選択図】図１
2016007779.tif 000002
【特許請求の範囲】
【請求項１】
片端部に粘着部が設けられ、この粘着部から横方向に離間して縦方向に沿って切込みが形成された第１のテープ部材と、
片端部に粘着部が設けられ、この粘着部から横方向に離間して前記切込みに係合する係合部が設けられている第２のテープ部材とを備える、
留め具。
【請求項２】
前記第２のテープ部材の係合部が、前記第１のテープ部材の切込みに挿入する挿入片とされている、請求項１に記載の留め具。
【請求項３】
前記挿入片が、前記第２のテープ部材の横方向内方に凸の舌片状に切り込んで形成されている、請求項２に記載の留め具。
【請求項４】
前記第２のテープ部材の片端に、舌片状の前記挿入片が設けられている、請求項２に記載の留め具。
【請求項５】
前記第１のテープ部材の切込みの両端部から連続して小切込みが形成されている、請求項２から４のいずれかに記載の留め具。
【請求項６】
前記切込みが第１のテープ部材の上端から略中央部にかけて形成され、前記係合部が第２のテープ部材の下端から略中央部にかけて縦方向に沿って切り込んで形成されている、請求項１に記載の留め具。
【請求項７】
前記第２のテープ部材の粘着部と係合部との間に縦方向に沿って折曲線が設けられている、請求項１から６のいずれかに記載の留め具。
【請求項８】
前記粘着部が剥離性を有する、請求項１から７のいずれかに記載の留め具。
【請求項９】
前記粘着部が再貼着可能である、請求項１から８のいずれかに記載の留め具。
【発明の詳細な説明】
【技術分野】
【０００１】
本発明は、ファイル、紙袋等に貼着して使用する留め具に関する。
【背景技術】
【０００２】
多量の書類を、帯状部材を用いて表表紙と裏表紙との間にしっかりと保持し得る書類ファイルが提案されている（特許文献１参照）。一方で、カバンの中でファイル（例えば、クリアファイル）に収められていた書類が散乱するといった問題を解決するため、比較的少量の書類を簡便な方法によりにファイルに保持させることが望まれている。
【先行技術文献】
【特許文献】
【０００３】
【特許文献１】特開２００６−２２４５７５号公報
【発明の概要】
【発明が解決しようとする課題】
【０００４】
本発明は、かかる事情に鑑みてなされたものであり、その主たる目的は、書類を簡単にファイルに保持させることにある。
【課題を解決するための手段】
【０００５】
本発明の留め具は、片端部に粘着部が設けられ、この粘着部から横方向に離間して縦方向に沿って切込みが形成された第１のテープ部材と、片端部に粘着部が設けられ、この粘着部から横方向に離間して前記切込みに係合する係合部が設けられている第２のテープ部材とを備える。
１つの実施形態においては、上記第２のテープ部材の係合部が、上記第１のテープ部材の切込みに挿入する挿入片とされている。
１つの実施形態においては、上記挿入片が、上記第２のテープ部材の横方向内方に凸の舌片状に切り込んで形成されている。
１つの実施形態においては、上記第２のテープ部材の片端に、舌片状の上記挿入片が設けられている。
１つの実施形態においては、上記第１のテープ部材の切込みの両端部から連続して小切込みが形成されている。
１つの実施形態においては、上記切込みが第１のテープ部材の上端から略中央部にかけて形成され、上記係合部が第２のテープ部材の下端から略中央部にかけて縦方向に沿って切り込んで形成されている。
１つの実施形態においては、上記第２のテープ部材の粘着部と係合部との間に縦方向に沿って折曲線が設けられている。
１つの実施形態においては、上記粘着部が剥離性を有する。
１つの実施形態においては、上記粘着部が再貼着可能である。
【発明の効果】
【０００６】
本発明によれば、例えば、第１のテープ部材に形成された切込みに第２のテープ部材の係合部を係合させた状態で、それぞれをファイルの表表紙と裏表紙に貼り付けるという簡単な操作で、書類をファイルに保持させることができる。ファイルを開く際は、切込みから係合部を取り外せばよい。このように、本発明の留め具は、ファイルの開閉に支障をきたさず、何度も開閉することができる。また、本発明の留め具はテープ部材で構成されるので、かさばることもない。さらに、各テープ部材には粘着部が設けられているので、ファイルの留め具としてだけでなく、他の用途（例えば、紙袋のシール材）にも適用させることができる。
【図面の簡単な説明】
【０００７】
【図１】本発明の一実施例を示す留め具を裏から見た図である。
【図２】図１に示す留め具を係合させた状態を表から見た図である。
【図３】（ａ）および（ｂ）は、図１に示す留め具のファイルへの取り付け方法を示す外観斜視図である。
【図４】（ａ）および（ｂ）は、図１に示す留め具が紙袋に取り付けられた状態を示す外観斜視図である。
【図５】本発明の別の実施例を示す留め具を裏から見た図である。
【図６】本発明のさらに別の実施例を示す留め具を裏から見た図である。
【図７】図６に示す留め具を係合させた状態を裏から見た図である。
【発明を実施するための形態】
【０００８】
以下、本発明の具体的実施例を図面に基づいて詳細に説明する。
【０００９】
図１および図２は、本発明の留め具の一実施例を示す概略図であり、図１は留め具を裏から見た図であり、図２は図１に示す留め具を係合させた状態を表から見た図である。
【００１０】
図１に示すように、本実施例の留め具１は、第１のテープ部材１０と第２のテープ部材２０とを備えている。第１のテープ部材１０と第２のテープ部材２０とは、略同一の幅寸法を有し、横長の帯状体とされている。第２のテープ部材２０は、第１のテープ部材１０よりも長さ方向に長い形状とされている。
【００１１】
第１のテープ部材１０は、基材１１と基材１１の裏面に設けられ再貼着再剥離可能な粘着部１２とを備えている。粘着部１２は、基材１１の左端部に粘着剤層を形成して設けられている。第１のテープ部材１０には、粘着部１２から右方向に離間して切込み１３が形成されている。切込み１３は、第１のテープ部材１０の縦方向（幅方向）に沿って形成されている。図示例では、縦方向の切込み１３と共に、切込み１３の両端部から横方向内方に連続して小切込み１４ａ，１４ａが形成されている。このような小切込みを形成することが、後述の挿入片２３の切込み１３への挿入を容易に行えるので好ましい。
【００１２】
第２のテープ部材２０は、基材２１と基材２１の裏面に設けられ再貼着再剥離可能な粘着部２２とを備えている。粘着部２２は、基材２１の右端部に粘着剤層を形成して設けられている。第２のテープ部材２０には、粘着部２２から左方向に離間して、第１のテープ部材１０に形成された切込み１３に挿入係合する挿入片２３が基材２１を切り込んで形成されている。挿入片２３は、挿入係合を容易にするため、基材２１の左端部に形成されるのが好ましい。挿入片２３は、横方向内方に凸の舌片状とされ、図示例では略半円形状とされている。また、挿入片２３の始端２３ａと終端２３ｂとを結ぶ線は、第２のテープ部材２０の縦方向（幅方向）と略平行とするのが好ましい。
【００１３】
本実施例では、第２のテープ部材２０の粘着部２２と挿入片２３との間に、縦方向に沿って型押しまたはミシン目の折曲線２４が設けられている。折曲線２４は、より折り曲げ易くするため、図示例のように、第２のテープ部材２０の上辺から下辺に渡って設けられるのが好ましい。
【００１４】
第１のテープ部材１０の左の端辺は外方に凸の円弧状とされ、第２のテープ部材２０の左の端辺は外方に凸の円弧状とされている。このような形態によれば、各テープ部材を貼り付ける際、貼り付け方向をわかり易くすることができる。
【００１５】
各テープ部材（基材）の材質は、特に限定されないが、プラスチックフィルムとするのがよい。耐久性に優れるからである。なお、実用的には、各粘着部は使用に供されるまで剥離紙等により保護されていることが好ましい。
【００１６】
次に、本実施例の留め具１の使用方法について説明する。図３は図１に示す留め具のファイルへの取り付け方法を示す外観斜視図である。図３（ａ）に示すように、ファイルの表表紙の解放側の側縁部に第１のテープ部材１０を貼り付ける。このとき、第１のテープ部材１０の切込み１３が粘着部１２よりも縁側に位置するように貼り付ける。次に、ファイルの裏表紙の解放側の側縁部に、第１のテープ部材１０と対応させて第２のテープ部材２０を貼り付ける。このとき、第２のテープ部材２０の挿入片２３および折曲線２４がファイルから外方に位置するように貼り付ける。その後、折曲線２４に沿って第２のテープ部材２０を折り曲げて挿入片２３を第１のテープ部材１０の切込み１３に挿入し、第１のテープ部材１０と第２のテープ部材２０とを係合させる。ファイルを開く際は、切込み１３から挿入片２３を取り外せばよい。なお、予め、切込み１３に挿入片２３を挿入して第１のテープ部材１０と第２のテープ部材２０とを係合させた状態でファイルの側縁部に貼り付けてもよい。この場合、２つのテープ部材の位置ずれがなく、容易に適切な位置に取り付けることができる。係る貼り付け作業において、粘着部１２は再剥離可能であるため、取り付け位置が適切でない場合にも剥離させることができる。また、再貼着可能であるため、再び貼り直すことが可能である。
【００１７】
留め具１は、ファイルだけでなく、例えば、紙袋にも用いることができる。その場合、図４（ａ）に示すように、手提げ用紙袋の上端部に本発明の留め具を貼り付けて使用すればよい。また、提げ手のない紙袋に用いる場合、例えば、図４（ｂ）に示すように、開口を閉じるように紙袋を折り曲げ、この折り曲げ部を跨ぐように留め具１を貼り付けて使用すればよい。
【００１８】
図５に本発明の留め具の別の実施例を示す。本実施例の留め具２は、留め具１とは異なり、切込み１３に挿入係合する舌片状の挿入片２３が、基材２１の左端に設けられている。舌片状の挿入片２３の基端上部および基端下部には、切欠き２３ｃ，２３ｃが形成されている。このような構成により、切込み１３から挿入片２３が抜け出るのを防止する。
【００１９】
図６および図７に本発明の留め具のさらに別の実施例を示す。本実施例の留め具３は、第１のテープ部材１０と第２のテープ部材２０とを備えている。第１のテープ部材１０は、基材１１と基材１１の左端部に設けられた粘着部１２とを備えている。第１のテープ部材１０には、粘着部１２から右方向に離間して切込み１３が形成されている。切込み１３は、第１のテープ部材１０の縦方向（幅方向）に沿って、上端から略中央部にかけて形成されている。切込み１３の終端には小穴１３ａが形成されている。
【００２０】
第２のテープ部材２０は、基材２１と基材２１の右端部に設けられた粘着部２２とを備えている。第２のテープ部材２０には、粘着部２２から左方向に離間して、第１のテープ部材１０に形成された切込み１３に係合する切込み２５が形成されている。切込み２５は、第２のテープ部材２０の縦方向（幅方向）に沿って、下端から略中央部にかけて形成されている。切込み２５の終端には小穴２５ａが形成されている。図７に示すように、第１のテープ部材１０の切込み１３に第２のテープ部材２０の切込み２５を係合させた際、小穴１３ａに小穴２５ａが係止される。
【００２１】
本発明の留め具は、上記実施例の構成に限らず適宜変更可能である。例えば、各テープ部材の形状や寸法、第１のテープ部材の切込みの位置や形状、第２のテープ部材の係合部の位置や形状は、適宜に変更可能である。例えば、貼り直しや剥離させる必要がない用途に使用するのであれば、粘着部は剥離性がなくても良い。また、貼り直しや再使用の必要がない用途に使用するのであれば、同様に、再貼着可能でなくても良い。
【符号の説明】
【００２２】
１          留め具
２          留め具
３          留め具
１０          第１のテープ部材
１１          基材
１２          粘着部
１３          切込み
２０          第２のテープ部材
２１          基材
２２          粘着部
２３          挿入片
２４          折曲線
２５          切込み
【図１】
2016007779.tif 000003
【図２】
2016007779.tif 000004
【図３】
2016007779.tif 000005
【図４】
2016007779.tif 000006
【図５】
2016007779.tif 000007
【図６】
2016007779.tif 000008
【図７】
2016007779.tif 000009